(57)【要約】      （修正有）【課題】感電防止モジュールを電源アウトプットエンドと電気的に接続することにより、ランプソケットに触れても安全な感電防止装置を提供する。【解決手段】電源供給ユニット４０、第一抵抗器Ｒ１、第二抵抗器Ｒ２、第三抵抗器Ｒ３、第四抵抗器Ｒ４、スイッチユニット、コントロールユニットで構成するランプソケット感電防止モジュールであって、ランプソケットに設置し、電源供給ユニットからランプソケットに電力を供給する。該コントロールユニットは第三抵抗器に生成する電圧値及び第四抵抗器を流れる電流値を検知して、蛍光灯に接続する該第１エンドポイントＬＥＤ＋、第２エンドポイントＬＥＤ−を経由する回路のオンオフを検出して該スイッチユニットをオンオフすることにより、該ランプソケットにおける感電を防止する。【選択図】図２
0003178566.tif 000002
【実用新案登録請求の範囲】
【請求項１】
蛍光管若しくは蛍光管型発光ダイオードランプのランプソケットに設置されるランプソケット感電防止モジュールであって、電源供給ユニット、第一抵抗器、第二抵抗器、第三抵抗器、第四抵抗器、スイッチユニット、コントロールユニットから構成され、
電源供給ユニットと電気的に接続されると共に該ランプソケットを介して蛍光灯に電源を供給する第１エンドポイント及び第２エンドポイントに電気的に接続され、
該第１、第２エンドポイントに対して、
スイッチユニットは、該電源供給ユニットに接続されて第１エンドポイントとの間で第一抵抗器と並列に接続され、
第二抵抗器は、第一抵抗器と接続すると共にその間でスイッチユニットが接続され、
第三抵抗器は、第二抵抗器と接続すると共にその間でコントロールユニットの電圧検知回路に接続され、
第四抵抗器は、第三抵抗器と接続すると共にその間で第２エンドポイントに接続され、
さらにコントロールユニットの電流検知回路を経て電源供給ユニットに接続され、
該コントロールユニットは第三抵抗器に生成する電圧値及び第四抵抗器を流れる電流値を検知して、該第１、第２エンドポイントを経由する回路のオンオフを検出して該スイッチユニットをオンオフすることにより、該ランプソケットにおける感電を防止することを特徴とするランプソケット感電防止モジュール。
【請求項２】
前記第一抵抗器の抵抗値は該スイッチユニットがオンの状態にある抵抗値より大きいことを特徴とする請求項１記載のランプソケット感電防止モジュール。
【請求項３】
前記スイッチユニットは金属酸化物半導体電界効果トランジスタとすることを特徴とする請求項１記載のランプソケット感電防止モジュール。
【請求項４】
前記コントロールユニットは電圧検知部品を具え、それを第三抵抗器と電気的に接続することで、第三抵抗器に生成する電圧値を検知することを特徴とする請求項１記載のランプソケット感電防止モジュール。
【請求項５】
前記コントロールユニットは電流検知部品を具え、それを第四抵抗器と電気的に接続することで第四抵抗器を流れる電流値を検知することを特徴とする請求項４記載のランプソケット感電防止モジュール。
【考案の詳細な説明】
【技術分野】
【０００１】
本考案は、ランプソケット感電防止モジュールの構造に関し、特にＴ８のランプソケット感電防止モジュールの構造に関する。
【背景技術】
【０００２】
人々は照明設備を使って光が弱いスペースや、光が遮られる場所を改善する。オフィスや工場など、明るい照明が必要な場所では、発光源を棒状の蛍光灯を使用することで、均等且つ強い明かりを照らすことができる。
【０００３】
通常のランプソケット内部の電極は、直接電源会社からの交流電源と接続する。交流電源自身の電圧が高いため、蛍光灯を取り付け、及び取り外す過程において、蛍光灯の電極がランプソケット内の電極と接触する際に、火花或いは電弧を引き起こす可能性があるため、操作する人が火傷或いは感電する状況が発生する。
【０００４】
次に、従来技術のランプソケットでは、蛍光灯をセットする前は(即ちランプソケットがカラの場合)、ランプソケットの両端にある電極間の電圧はほぼ電源会社からの交流電源の電圧値と同じであるため、不注意に触れた場合、感電する恐れがあるのを鑑みて、更なる改善が必要であった。
【先行技術文献】
【特許文献】
【０００５】
【特許文献１】特開平１−２５８３９６号公報
【考案の概要】
【考案が解決しようとする課題】
【０００６】
前記公知構造の欠点を解決するため、本考案のランプソケット感電防止モジュールは有効的にランプソケットに設置した蛍光灯に明かりがつくほか、ランプソケットに蛍光灯がセットされていない場合でも、人が触って感電することなく、使用時の安全性が高まるランプソケット感電防止モジュールを提供することを主な課題とする。
【課題を解決するための手段】
【０００７】
上述の目的を解決するために、本考案はランプソケット感電防止モジュールの構造を提供するものである。該ランプソケット感電防止モジュールをランプソケットに設置し、且つ電源供給ユニットと接続する。該ランプソケットは蛍光灯を挟持固定することで、該蛍光灯と該ランプソケット感電防止モジュールが電気的接続を形成する。該ランプソケット感電防止モジュールは、第一抵抗器、第二抵抗器、第三抵抗器及び第四抵抗器、スイッチユニット及びコントロールユニットからなる。該第一抵抗器Ｒ１は該電源供給ユニットと電気的に接続し、第二抵抗器は第一抵抗器と電気的に接続し、第三抵抗器は第二抵抗器と電気的に接続し、第四抵抗器は第三抵抗器と電気的に接続する。該スイッチユニットは該電源供給ユニット、第一抵抗器及び第二抵抗器と電気的に接続し、該コントロールユニットは第二抵抗器、第三抵抗器、第四抵抗器及びスイッチユニットと電気的に接続する。該コントロールユニットは第三抵抗器に生成する電圧値及び第四抵抗器を流れる電流値を検知し、該スイッチユニットのオンオフをコントロールすることで、該ランプソケット感電防止モジュールの電圧値及び電流値を調整する。
【０００８】
本考案のランプソケット感電防止モジュールは、電流コントロールユニットが即座にアウトプット電流の無負荷の値を検知し、電圧コントロールユニットが即座にアウトプット電圧値を検知し、且つ前記の検知値に基づき、該スイッチユニットのオンオフ状態をコントロールすることで、アウトプット電圧値及びアウトプット電流値を上げ下げするため、有効的に蛍光灯の明かりを灯すだけでなく、大幅に使用時の安全性を高めることができる。
【考案の効果】
【０００９】
本考案のランプソケット感電防止モジュールは有効的にランプソケットに設置した蛍光灯に明かりがつくほか、ランプソケットを設置していない場合でも、人が触って感電することなく、使用時の安全性が高める。
【図面の簡単な説明】
【００１０】
【図１】本考案の最良実施例のランプソケット及び蛍光灯の立体分解図である。
【図２】本考案の最良実施例のランプソケット感電防止モジュールの電路ボックス図である。
【図３】本考案のランプソケット感電防止モジュールと蛍光灯が電気的に接続を形成する際の略図である。
【図４】本考案のランプソケット感電防止モジュールの無負荷の際の略図である。
【考案を実施するための形態】
【００１１】
図に示すように、本考案は上記及びその他の目的、特徴及び長所は、本考案の最良実施例を用いて制限を設けずに説明を行う。添付図にある相同する参考数字は、同一部品或いは類似部品に使用する。
【００１２】
図１及び図２に示すのは、それぞれ本考案の最良実施例のランプソケット及び蛍光灯の立体分解図及びランプソケット感電防止モジュールの回路図である。該ランプソケット感電防止モジュール１０は一本の蛍光灯２０に電源を提供するランプソケット３０に設置し、且つ一つの電源供給ユニット４０と接続する。該電源供給ユニット４０は該蛍光灯２０を駆動する電源を提供し、直流或いは交流電源をアウトプットする。本実施例では、該電源供給ユニット４０は交流電源を提供するとして説明しているが、本考案の電圧形態はそれによって制限されない。
【００１３】
次に、該蛍光灯２０は省エネ蛍光灯、蛍光灯型発光ダイオード或いはその他の棒状の照明構造とする。本実施例では、直管型仕様の発光ダイオードとして説明しているが、その仕様によって制限されないこととする。該蛍光灯２０の両サイドにそれぞれ導電端子２２を設置し、該導電端子２２の数は一個或いは複数個とし、本実施例では該蛍光灯２０の導電端子２２は二個として説明するが、複数組あっても良い。
【００１４】
該ランプソケット３０の両サイドにそれぞれ一つの挟持部品３２を具有し、それらの挟持部品３２はそれぞれ該蛍光灯２０の両端の導電端子２２を挟持して固定することにより、該蛍光灯２０を該ランプソケット３０に固定する。
【００１５】
該ランプソケット感電防止モジュール１０を該ランプソケット３０に設置し、該ランプソケット感電防止モジュール１０は、電源アウトプットエンド、第一抵抗器Ｒ１、第二抵抗器Ｒ２、第三抵抗器Ｒ３、第四抵抗器Ｒ４、スイッチユニット１２０及びコントロールユニット１３０を有し、ユーザーが蛍光灯２０の取り付け及び取り外す際に感電するのを防止する。
【００１６】
該蛍光灯２０を該ランプソケット３０に固定する際、該ランプソケット感電防止モジュール１０の該電源アウトプットエンドと電気的接続を形成する。説明しやすいよう、本実施例の該電源アウトプットエンドを第一エンドポイントＬＥＤ＋及び第二エンドポイントＬＥＤ−とするが、それによって制限されない。したがって、該蛍光灯２０を該ランプソケット３０に固定する際、両端の導電端子２２はそれぞれ該第一エンドポイントＬＥＤ＋及び該第二エンドポイントＬＥＤ−と電気的に接続する。
【００１７】
該スイッチユニット１２０は、該電源供給ユニット４０、該第一抵抗器Ｒ１及び該第二抵抗器Ｒ２と電気的に接続し、該スイッチユニット１２０は該コントロールユニット１３０が送るコントロールシグナルに基づき、オンオフに切り替えるため、それにより電流の伝送経路を変更する(詳細は後述を参照)。
【００１８】
該コントロールユニット１３０は、電圧検知部品１３２及び一つの電流検知部品１３４を有し、該電圧検知部品１３２は第二抵抗器Ｒ２及び該第三抵抗器Ｒ３と電気的に接続し、該第三抵抗器Ｒ３に生成する電圧値を検知する。該電流検知部品１３４を第四抵抗器Ｒ４と電気的に接続し、該第四抵抗器Ｒ４を流れる電流値を検知する。該第四抵抗器Ｒ４は第三抵抗器Ｒ３と電気的に接続する。
【００１９】
該第一抵抗器Ｒ１は、該電源供給ユニット４０と電気的に接続し、且つ該第一抵抗器Ｒ１の抵抗値はスイッチユニット１２０がオンの状態にある抵抗値より必ず大きくなければならない。該第二抵抗器Ｒ２を第一抵抗器Ｒ１、第三抵抗器Ｒ３、スイッチユニット１２０及びコントロールユニット１３０と電気的に接続し、且つ該第二抵抗器Ｒ２及び第三抵抗器Ｒ３は直列接続し、該第一エンドポイントＬＥＤ＋及び該第二エンドポイントＬＥＤ−の間に位置する。
【００２０】
該スイッチユニット１２０が短絡し、且つ該蛍光灯２０が第一エンドポイントＬＥＤ＋及び第二エンドポイントＬＥＤ−の間で電気的に接続すると、第一電流Ｉ１は該スイッチユニット１２０を通過して該第二抵抗器Ｒ２及び蛍光灯１２０に流れて蛍光灯２０を点灯する。図３に示すように、該第一電流Ｉ１は第二抵抗器Ｒ２及び第三抵抗器Ｒ３に第一電圧Ｖ１を生成し、該第一エンドポイントＬＥＤ＋及び第二エンドポイントＬＥＤ−の間にある電圧は該第一電圧Ｖ１と同じである。図３にあるスイッチユニット１２０は例として金属酸化物半導体電界効果トランジスタ(metal oxide semiconductor field-effect transistor, ＭＯＳＦＥＴ)を使用するが、それによって制限されない。
【００２１】
該蛍光灯２０を該第一エンドポイントＬＥＤ＋及び第二エンドポイントＬＥＤ−の間から取り外す瞬間、該電流検知部品１３４は第四抵抗器Ｒ４を通じて第一電流Ｉ１が下がるのを検知してから第一コントロールシグナルをアウトプットし、該第一コントロールシグナルにより該スイッチユニット１２０はオフに切り替えられる。
【００２２】
図４に示すように、該スイッチユニット１２０がオフになると、第二電流Ｉ２は第一抵抗器Ｒ１及び第二抵抗器Ｒ２を流れ、第二抵抗器Ｒ２及び第三抵抗器Ｒ３にて第二電圧Ｖ２を生成する。該第一エンドポイントＬＥＤ＋及び該第二エンドポイントＬＥＤ−の間の電圧は該第二電圧Ｖ２と等しい。
図４に示すように、該スイッチユニット１２０は金属酸化物半導体電界効果トランジスタを例として使用するが、それによって制限されない。
【００２３】
該蛍光灯２０を新たに該ランプソケット３０に設置し、且つ該蛍光灯２０両端の導電端子２２と該ランプソケット感電防止モジュール１０が電気的に接続をすると、該蛍光灯２０と第二抵抗器Ｒ２及び第三抵抗器Ｒ３を並列接続することで、該第三抵抗器Ｒ３に生成する電圧値が下がる。同時に電圧検知部品１３２が第二コントロールシグナルを該スイッチユニット１２０に送ると、該第二コントロールシグナルにより該スイッチユニット１２０がオンとなる。
【００２４】
図３に示すように、該スイッチユニット１２０がオンになると、第一電流Ｉ１は該スイッチユニット１２０を通過して該第二抵抗器Ｒ２及び該蛍光灯２０に流れる。且つ該第一エンドポイントＬＥＤ＋及び該第二エンドポイントＬＥＤ−の間に第一電圧Ｖ１を生成することで蛍光灯２０を点灯する。
【００２５】
実際に応用する場合、該ランプソケット感電防止モジュール１０は該蛍光灯２０を設置するか否かに基づき、アウトプットする電圧値(即ち第一エンドポイントＬＥＤ＋及び第二エンドポイントＬＥＤ−の間の電圧値)、及びアウトプットする電流値(即ち第一エンドポイントＬＥＤ＋及び第二エンドポイントＬＥＤ−の間の電流値)を決定する。該蛍光灯２０が順調にランプソケット３０に設置されると、アウトプットする電圧値及び電流値を上げて蛍光灯を点灯する。蛍光灯２０をランプソケット３０に取り付けていない、或いは該ランプソケット感電防止モジュール１０と順調に電気的に接続できなかった場合、アウトプットする電圧値及び電流値を下げることで、感電を防止して使用する際の安全性を向上する。
【００２６】
前述の内容をまとめると、該ランプソケット感電防止モジュール１０は該コントロールユニット１３０の電圧検知部品１３２及び該電流検知部品１３４を介して、即時にアウトプット電圧値及びアウトプット電流値を検知し、且つ前記の検知値に基づき該スイッチユニット１２０のオンオフ状態をコントロールすることで、アウトプット電圧値及びアウトプット電流値の上げ下げを行う。そうすることで適切に蛍光灯をするだけでなく、使用する際の安全性を大幅に向上する。
【００２７】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【００２８】
１０  ランプソケット感電防止モジュール
１２０  スイッチユニット
１３０  コントロールユニット
１３２  電圧検知部品
１３４  電流検知部品
２０  蛍光灯
２２  導電端子
３０  ランプソケット
３２  挟持部品
４０  電源供給ユニット
Ｒ１  第一抵抗器
Ｒ２  第二抵抗器
Ｒ３  第三抵抗器
Ｒ４  第四抵抗器
Ｉ１  第一電流
Ｉ２  第二電流
ＬＥＤ＋  第一エンドポイント
ＬＥＤ−  第二エンドポイント
【図１】
0003178566.tif 000003
【図２】
0003178566.tif 000004
【図３】
0003178566.tif 000005
【図４】
0003178566.tif 000006